(57)【要約】【課題】複数の移動通信システムが混在する際において、効率の良い受信制御を実現することができる無線基地局装置及び移動端末装置を提供すること。【解決手段】無線基地局装置において、複数のコンポーネントキャリアで構成される相対的に広いシステム帯域を持つ移動通信システムの制御信号について、複数のデータブロックで構成される復号単位で、少なくとも２つのコンポーネントキャリアに割り当て、前記移動通信システムに対応する移動端末装置で前記制御信号を受信し、前記移動端末装置において、制御信号を複数のデータブロックで構成される復号単位で復調して、自装置宛ての制御信号であるか否かを判断することを特徴とする。【選択図】図４
2010114537.tif 000002
【特許請求の範囲】
【請求項１】
複数のコンポーネントキャリアで構成される相対的に広いシステム帯域を持つ移動通信システムの制御信号を生成する制御信号生成手段と、前記移動通信システムの制御信号について、複数のデータブロックで構成される復号単位で、少なくとも２つのコンポーネントキャリアに割り当てる制御信号割り当て手段と、を具備することを特徴とする無線基地局装置。
【請求項２】
前記制御信号割り当て手段は、特定の移動端末装置に送信する制御信号を、各コンポーネントキャリアにおける同じ番号のデータブロックを合わせて復号単位として割り当てることを特徴とする請求項１記載の無線基地局装置。
【請求項３】
前記制御信号割り当て手段は、特定の移動端末装置に送信する制御信号を、少なくとも２つのコンポーネントキャリアにわたる予め決められたデータブロックパターンを復号単位として割り当てることを特徴とする請求項１記載の無線基地局装置。
【請求項４】
複数のコンポーネントキャリアで構成される相対的に広いシステム帯域を持つ移動通信システムの制御信号を受信する受信手段と、前記制御信号を複数のデータブロックで構成される復号単位で復号して、自装置宛ての制御信号であるか否かを判断する復調手段と、を具備することを特徴とする移動端末装置。
【請求項５】
前記復調手段は、各コンポーネントキャリアにおける同じ番号のデータブロックを合わせて復号単位として復号して、自装置宛ての制御信号であるか否かを判断することを特徴とする請求項４記載の移動端末装置。
【請求項６】
前記復調手段は、少なくとも２つのコンポーネントキャリアにわたる予め決められたデータブロックパターンを復号単位として復号して、自装置宛ての制御信号であるか否かを判断することを特徴とする請求項４記載の移動端末装置。
【請求項７】
前記復調手段は、２つのコンポーネントキャリアにわたって割り当てられた制御信号について、一つのコンポーネントキャリアにおける一つのデータブロックと、他のコンポーネントキャリアの一つのデータブロックとを合わせて復号単位として、自装置宛ての制御信号であるか否かを判断することを特徴とする請求項４記載の移動端末装置。
【請求項８】
無線基地局装置において、複数のコンポーネントキャリアで構成される相対的に広いシステム帯域を持つ移動通信システムの制御信号について、複数のデータブロックで構成される復号単位で、少なくとも２つのコンポーネントキャリアに割り当てる工程と、前記移動通信システムに対応する移動端末装置で前記制御信号を受信する工程と、前記移動端末装置において、制御信号を複数のデータブロックで構成される復号単位で復号して、自装置宛ての制御信号であるか否かを判断する工程と、を具備することを特徴とする無線通信方法。
【請求項９】
無線基地局装置において、特定の移動端末装置に送信する制御信号を、各コンポーネントキャリアにおける同じ番号のデータブロックを合わせて復号単位として割り当て、前記移動端末装置において、前記同じ番号のデータブロックを合わせて復号単位として復号して、自装置宛ての制御信号であるか否かを判断することを特徴とする請求項８記載の無線通信方法。
【請求項１０】
無線基地局装置において、特定の移動端末装置に送信する制御信号を、少なくとも２つのコンポーネントキャリアにわたる予め決められたデータブロックパターンを復号単位として割り当て、前記移動端末装置において、前記データブロックパターンを復号単位として復号して、自装置宛ての制御信号であるか否かを判断することを特徴とする請求項８記載の無線通信方法。
【発明の詳細な説明】
【技術分野】
【０００１】
本発明は、次世代移動通信システムにおける無線基地局装置及び移動端末装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている。ＬＴＥでは、多重方式として、下り回線（下りリンク）にＷ−ＣＤＭＡとは異なるＯＦＤＭＡ（Orthogonal  Frequency  Division  Multiple  Access）を用い、上り回線（上りリンク）にＳＣ−ＦＤＭＡ（Single  Carrier  Frequency  Division  Multiple  Access）を用いている。
【０００３】
ＬＴＥシステムにおいては、移動端末装置においては、無線基地局装置からの信号を受信する際に、自装置宛ての制御信号を復調して、その制御信号に含まれるスケジューリング情報や送信電力制御情報を用いて制御を行う。この場合において、各システムのシステム帯域の範囲内の周波数領域にマッピングされた信号をデマッピングし、デマッピング後の信号を復調して自装置宛ての制御信号であるかどうかを判断する（ブラインド復号）。その後、移動端末装置は、自装置宛ての制御信号に含まれる無線リソース割り当て情報にしたがって共有データチャネル信号を送受信する。このブラインド復号においては、図７に示すように、１サブフレーム内のデータブロックであるＣＣＥ（Control  Channel  Element）を順々に復号してＣＲＣ（Cyclic  Redundancy  Check）して、自装置宛ての制御信号かどうかを判断していく。図７においては、ＣＣＥ＃３が自装置宛ての制御信号であり、ＣＣＥ＃３を復号することにより、ユーザＩＤに対応する無線リソース割り当て情報を取得することができる（非特許文献１〜非特許文献３）。
【非特許文献１】3GPP,  TS  36.211  (V.8.4.0),  "Evolved  Universal  Terrestrial  Radio  Access  (E-UTRA);Physical  Channels  and  Modulation  (Release  8)".  Sep.2008
【非特許文献２】3GPP,  TS  36.212  (V.8.4.0),  "Evolved  Universal  Terrestrial  Radio  Access  (E-UTRA);  Multiplexing  and  channel  coding  (Release  8)",  Sep.  2008
【非特許文献３】3GPP,  TS  36.213  (V.8.4.0),  "Evolved  Universal  Terrestrial  Radio  Access  (E-UTRA);  Physical  layer  procedures  (Release  8)",  Sep.  2008
【発明の開示】
【発明が解決しようとする課題】
【０００４】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。したがって、将来的には、これら複数の移動通信システムが並存することが予想され、これらの複数のシステムに対応できる構成（無線基地局装置や移動端末装置など）が必要となることが考えられる。
【０００５】
ＬＴＥ−Ａシステムでは、ＬＴＥシステムのシステム帯域を一単位（コンポーネントキャリア：ＣＣ）とした、複数のコンポーネントキャリアを含むシステム帯域を用いて無線通信を行う。このようなＬＴＥ−Ａシステムにおいては、システム帯域が複数のコンポーネントキャリアを含むので、制御信号が複数のコンポーネントキャリアにわたって割り当てられることが想定される。このように制御信号が複数のコンポーネントキャリアにわたって割り当てられていると、上述したブラインド復号する場合に復号回数が非常に多くなってしまう。すなわち、図８に示すように、ＬＴＥ−Ａシステムが２つのコンポーネントキャリアにわたるシステム帯域を持つ場合において、制御信号がＣＣ＃１のＣＣＥ＃２〜ＣＣＥ＃７及びＣＣ＃２のＣＣＥ＃２〜ＣＣＥ＃７の１２個のいずれかのＣＣＥに制御信号が割り当てられる可能性があり、ＬＴＥシステムのブラインド復号のように１つのＣＣＥが復号単位であるとすると、最大１２回のブラインド復号が必要となり、非常に処理時間がかかり、迅速に受信制御を行うことができないことが考えられる。したがって、複数の移動通信システム（ＬＴＥシステムとＬＴＥ−Ａシステム）に対応できる効率の良い受信制御ができる方式が望まれている。
【０００６】
本発明はかかる点に鑑みてなされたものであり、複数の移動通信システムが混在する際において、効率の良い受信制御を実現することができる無線基地局装置及び移動端末装置を提供することを目的とする。
【課題を解決するための手段】
【０００７】
本発明の無線基地局装置は、複数のコンポーネントキャリアで構成される相対的に広いシステム帯域を持つ移動通信システムの制御信号を生成する制御信号生成手段と、前記移動通信システムの制御信号について、複数のデータブロックで構成される復号単位で、少なくとも２つのコンポーネントキャリアに割り当てる制御信号割り当て手段と、を具備することを特徴とする。
【０００８】
本発明の移動端末装置は、複数のコンポーネントキャリアで構成される相対的に広いシステム帯域を持つ移動通信システムの制御信号を受信する受信手段と、前記制御信号を複数のデータブロックで構成される復号単位で復号して、自装置宛ての制御信号であるか否かを判断する復調手段と、を具備することを特徴とする。
【発明の効果】
【０００９】
本発明においては、無線基地局装置において、複数のコンポーネントキャリアで構成される相対的に広いシステム帯域を持つ移動通信システムの制御信号について、複数のデータブロックで構成される復号単位で、少なくとも２つのコンポーネントキャリアに割り当て、前記移動通信システムに対応する移動端末装置で前記制御信号を受信し、前記移動端末装置において、制御信号を複数のデータブロックで構成される復号単位で復調して、自装置宛ての制御信号であるか否かを判断するので、複数の移動通信システムが混在する際において、効率の良い受信制御を実現することができる。
【発明を実施するための最良の形態】
【００１０】
以下、本発明の実施の形態について、添付図面を参照して詳細に説明する。
図１は、下りリンクで移動通信が行われる際の周波数使用状態を説明するための図である。図１に示す例は、複数のコンポーネントキャリアで構成される相対的に広い第１システム帯域を持つ第１移動通信システムであるＬＴＥ−Ａシステムと、相対的に狭い（ここでは、一つのコンポーネントキャリアで構成される）第２システム帯域を持つ第２移動通信システムであるＬＴＥシステムが併存する場合の周波数使用状態である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数領域（コンポーネントキャリア：ＣＣ）となっている。このように複数の基本周波数領域を一体として広帯域化することをキャリアアグリゲーションという。
【００１１】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末装置ＵＥ（User  Equipment）＃１は、ＬＴＥ−Ａシステム対応（ＬＴＥシステムにも対応）の移動端末装置であり、１００ＭＨｚのシステム帯域を持ち、ＵＥ＃２は、ＬＴＥ−Ａシステム対応（ＬＴＥシステムにも対応）の移動端末装置であり、４０ＭＨｚ（２０ＭＨｚ×２＝４０ＭＨｚ）のシステム帯域を持ち、ＵＥ＃３は、ＬＴＥシステム対応（ＬＴＥ−Ａシステムには対応せず）の移動端末装置であり、２０ＭＨｚ（ベース帯域）のシステム帯域を持つ。
【００１２】
このように、ＬＴＥ−Ａシステムのシステム帯域を、ＬＴＥシステムのシステム帯域を一単位とする少なくとも一つの周波数帯域を含むシステム帯域となるように区分する発明については、本出願人が既に出願している（特願２００８−８８１０３）。なお、ＬＴＥ−Ａシステムについては、全ての移動端末装置に対して１００ＭＨｚの帯域を使って移動通信を行う必要はなく、１００ＭＨｚ以下の他のシステム帯域、例えば４０ＭＨｚの帯域を使って移動通信を行う移動端末装置があっても良い。
【００１３】
ＬＴＥ−Ａシステム及びＬＴＥシステムにおいては、下り回線でＯＦＤＭＡを用いるので、送信信号をシステム帯域の範囲内の周波数領域にマッピングして送信を行う。したがって、ＬＴＥ−Ａシステムにおいては、１００ＭＨｚ以下の帯域幅の周波数領域（５つのコンポーネントキャリア）でマッピングを行い、ＬＴＥシステムにおいては、２０ＭＨｚ以下の帯域幅の周波数領域（１つのコンポーネントキャリア）でマッピングを行うこととなる。なお、ＬＴＥシステムでは、先頭の１個〜３個のＯＦＤＭシンボル（ＩＦＦＴ（Inverse  Fast  Fourier  Transform）単位）に制御信号がマッピングされる。このようにＬＴＥ−Ａシステムにおいては、システム帯域が複数のコンポーネントキャリアを含むので、制御信号が複数のコンポーネントキャリアにわたって割り当てられる。
【００１４】
本発明者らは上記の点に着目して効率の良い受信制御を実現すべく、本発明をするに至った。すなわち、本発明の骨子は、無線基地局装置において、複数のコンポーネントキャリアで構成される相対的に広いシステム帯域を持つ移動通信システムの制御信号について、複数のデータブロックで構成される復号単位で、少なくとも２つのコンポーネントキャリアに割り当て、前記移動通信システムに対応する移動端末装置で前記制御信号を受信し、前記移動端末装置において、制御信号を複数のデータブロックで構成される復号単位で復調して、自装置宛ての制御信号であるか否かを判断することにより、複数の移動通信システムが混在する際において、効率の良い受信制御を実現することである。
【００１５】
図２は、本発明の実施の形態に係る無線基地局装置の構成を示すブロック図である。図２に示す無線基地局装置は、送受信用のアンテナ１０１と、デュプレクサ１０２と、受信系処理部と、送信系処理部と、から主に構成されている。
【００１６】
受信系処理部は、移動端末装置から送られた信号に所定の受信処理を行う無線受信部１０３と、受信された信号にＦＦＴ（Fast  Fourier  Transform）演算を行うＦＦＴ部１０４と、ＦＦＴ演算後の信号をデマッピングするデマッピング部１０５と、デマッピング後の信号をデインターリーブするデインターリーバ１０６と、デインターリーブ後の信号を復調して受信データを得る復調部１０７とから主に構成されている。また、受信系処理部は、受信信号の品質を測定し、その測定結果に基づいて伝搬環境が良いか悪いかについて判定する受信品質判定部１１４を有する。なお、受信系処理部は、各移動端末装置に対して存在するが、図面を簡略化するために、図２においては、一つの移動端末装置に対する構成のみを示している。
【００１７】
送信系処理部は、移動端末装置に送信するデータを変調して変調信号とする変調部１０８ａ〜１０８ｅと、制御信号の変調信号を、所定の周波数領域に割り当てる制御信号割当て手段である制御信号スケジュール部１０９と、所定の周波数領域に割り当てた後の信号にインターリーブするインターリーバ１１０ａ〜１１０ｅと、インターリーブ後の信号を時間・周波数領域にマッピングするマッピング部１１１と、マッピング後の信号にＩＦＦＴ（Inverse  Fast  Fourier  Transform）演算を行うＩＦＦＴ部１１２と、ＩＦＦＴ演算後の信号に所定の送信処理を行う無線送信部１１３と、少なくとも２つのコンポーネントキャリアにわたる予め決められたデータブロックパターンを格納したデータブロックパターンテーブル（ＤＢパターンテーブル）１１５とから主に構成されている。
【００１８】
受信系処理部の無線受信部１０３においては、まず、受信した信号に対して利得制御がなされてベースバンド信号が得られる。次いで、このベースバンド信号が直交検波処理された後に不要周波数成分が除去され、その後Ａ／Ｄ変換される。Ａ／Ｄ変換後の信号がＦＦＴ部１０４に出力されると共に、受信品質判定部１１４に出力される。受信品質判定部１１４においては、ベースバンド信号の受信品質（例えば、受信電力、ＳＩＲ（Signal  Interference  Ratio）など）を測定し、その測定結果に基づいて移動端末装置との間の伝搬環境が良いか悪いかを判定する。例えば、受信品質の測定値に対してしきい値判定を行って、その判定結果により移動端末装置との間の伝搬環境が良いか悪いかを判定する。この伝搬環境の良し悪しの判定結果は、変調部１０８ｂ，１０８ｃ及び／又は制御信号スケジュール部１０９に出力される。
【００１９】
ＦＦＴ部１０４においては、無線受信部１０３から出力された、それぞれの移動端末装置からのベースバンド信号をＦＦＴ演算して、各サブキャリアに割り当てられた信号を得る。この信号はデマッピング部１０５に出力される。デマッピング部１０５においては、得られた信号について、移動端末装置側のマッピング規則にしたがってデマッピングを行う。デマッピング後の信号は、移動端末装置毎のデインターリーバ１０６に出力される。デインターリーバ１０６においては、デマッピング後の信号にデインターリーブを行う。デインターリーブ後の信号は、それぞれ移動端末装置毎の復調部１０７に出力される。復調部１０７においては、デインターリーブ後の信号を復調して、各移動端末装置の受信データを得る。
【００２０】
送信系処理部の変調部１０８ａ〜１０８ｅでは、送信データを所定の変調方式でディジタル変調して変調信号とする。変調部１０８ａは、ＬＴＥシステム用の移動端末装置用の共有データを変調する。変調部１０８ｂは、ＬＴＥシステム用の移動端末装置用の制御信号を変調する。変調部１０８ｃは、ＬＴＥ−Ａシステム用の移動端末装置用の制御信号を変調する。変調部１０８ｄは、ＬＴＥ−Ａシステム用の移動端末装置用の共有データを変調する。変調部１０８ｅは、報知チャネルで報知する情報（報知データ）を変調する。共有データの変調信号は、インターリーバ１１０ｄに出力される。制御信号の変調信号は、制御信号スケジュール部１０９に出力され、スケジュールされた制御信号は、インターリーバ１１０ａ〜１１０ｃに出力される。報知データの変調信号は、インターリーバ１１０ｅに出力される。報知データには、後述するデータブロックパターンを用いる場合のデータブロックパターン情報などが含まれる。変調部１０８ｂ，１０８ｃでは、受信品質判定部１１４における判定結果に基づいて、変調方式を変更しても良い。例えば、伝搬環境が悪い周波数領域においては相対的に低いレートの変調方式とする。
【００２１】
ここで、無線基地局装置から移動端末装置に送信される下り回線信号の制御信号が割り当てられるシステム帯域について説明する。図３は、ＬＴＥシステムのシステム帯域を説明するための図である。図３から分るように、ＬＴＥシステムにおいては、２０ＭＨｚ以下で種々のシステム帯域（図３においては、１．４ＭＨｚ、５ＭＨｚ、２０ＭＨｚ）を用いる。このシステム帯域は、例えば周波数，セル毎に適宜決定する。このシステム帯域において、下り回線制御チャネル及び共有データチャネルを用いて移動通信を行う。
【００２２】
下り回線の制御チャネルの制御信号は、図３に示すような複数のデータブロック（ここでは、２５個のデータブロック（ＣＣＥ：Control  Channel  Element））に振り分けられる１個のデータブロック（１ＣＣＥ）は、３６サブキャリア×１ＯＦＤＭシンボルに相当する。１サブキャリア×１ＯＦＤＭシンボルをリソースエレメント（Resource  Element：ＲＥ）といい、４リソースエレメントを１リソースエレメントグループ（Resource  Element  Group：ＲＥＧ）という。このデータブロック構成は、システム帯域が異なっていても同じである。すなわち、制御信号は、ＣＣＥに振り分けられ、このＣＣＥがシステム帯域に割り当てられることとなる。一方、ＬＴＥ−Ａシステムにおいても、ＬＴＥシステムと同様に、制御信号がＣＣＥに振り分けられ、このＣＣＥがシステム帯域である１００ＭＨｚ以下の周波数領域に割り当てられることとなる。したがって、図１を参照して説明すると、移動端末装置ＵＥ＃１に対する制御信号は、ＣＣＥに振り分けられ、このＣＣＥがシステム帯域である１００ＭＨｚに割り当てられ、移動端末装置ＵＥ＃２に対する制御信号は、ＣＣＥに振り分けられ、このＣＣＥがシステム帯域である４０ＭＨｚに割り当てられ、移動端末装置ＵＥ＃３に対する制御信号は、ＣＣＥに振り分けられ、このＣＣＥがシステム帯域である２０ＭＨｚに割り当てられる。なお、ＣＣＥが割り当てられるシステム帯域がチャネル符号化される単位である。
【００２３】
制御信号スケジュール部１０９においては、共有データチャネル信号の送受信のための無線リソースを割り当てると共に、制御信号について、複数のデータブロック（ＣＣＥ）で構成される復号単位で、少なくとも２つのＣＣに割り当てる。例えば、ＬＴＥシステムの最大のシステム帯域である２０ＭＨｚを一単位（ＣＣ）としたときの少なくとも２つのＣＣにわたって、複数のデータブロック（ＣＣＥ）で構成される復号単位で、制御信号を割り当てる。
【００２４】
図４（ａ），（ｂ）は、制御信号を複数のデータブロック（ＣＣＥ）で構成される復号単位で、少なくとも２つのＣＣに割り当てる場合について説明するための図である。ここでは、ＬＴＥシステムの最大のシステム帯域である２０ＭＨｚを一単位として、２つのＣＣ＃１，ＣＣ＃２にわたって制御信号を割り当てる場合について説明する。
【００２５】
図４（ａ）に示す割り当て態様においては、特定の移動端末装置に送信する制御信号を、各ＣＣにおける同じ番号のデータブロック（ＣＣＥ）を合わせて復号単位として、２つのＣＣに割り当てる。すなわち、図４（ａ）においては、ＣＣ＃１のＣＣＥ＃２及びＣＣ＃２のＣＣＥ＃２が復号単位を構成し、ＣＣ＃１のＣＣＥ＃３及びＣＣ＃２のＣＣＥ＃３が復号単位を構成し、ＣＣ＃１のＣＣＥ＃４及びＣＣ＃２のＣＣＥ＃４が復号単位を構成し、ＣＣ＃１のＣＣＥ＃５及びＣＣ＃２のＣＣＥ＃５が復号単位を構成し、ＣＣ＃１のＣＣＥ＃６及びＣＣ＃２のＣＣＥ＃６が復号単位を構成し、ＣＣ＃１のＣＣＥ＃７及びＣＣ＃２のＣＣＥ＃７が復号単位を構成する。この態様においては、ブラインド復号の数が、ＣＣの数に拘わらず所定のＣＣＥの数分で済む。図４（ａ）に示す場合においては、ブラインド復号の回数は、ＣＣＥ＃２〜ＣＣＥ＃７までの最大６回である。なお、図４（ａ）には、２つのＣＣの場合を示しているが、本態様はこれに限定されず、３つ以上のＣＣにわたって制御信号が割り当てられる場合にも同様に適用することができる。
【００２６】
図４（ｂ）に示す割り当て態様においては、特定の移動端末装置に送信する制御信号を、一つのＣＣにおけるあるデータブロック（ＣＣＥ）と、他のＣＣにおけるあるデータブロック（ＣＣＥ）とを合わせて復号単位として、２つのＣＣに割り当てる。この場合には、ＬＴＥシステムの最大のシステム帯域である２０ＭＨｚを一単位として、２つのＣＣ＃１，ＣＣ＃２にわたって制御信号を割り当てる。例えば、図４（ｂ）においては、ＣＣ＃１におけるＣＣＥ＃２と、ＣＣ＃２におけるＣＣＥ＃２〜ＣＣＥ＃７のいずれかとを合わせて復号単位として、２つのＣＣに割り当てる。この態様においては、制御信号をＣＣに割り当てる際のＣＣＥのパターンの自由度が大きくなり、制御信号の割り当てのフレキシビリティが向上する。
【００２７】
図５は、制御信号を複数のデータブロック（ＣＣＥ）で構成される復号単位で、少なくとも２つのＣＣに割り当てる場合の他の例について説明するための図である。ここでは、ＬＴＥシステムの最大のシステム帯域である２０ＭＨｚを一単位として、４つのＣＣ＃１〜ＣＣ＃４にわたって制御信号を割り当てる場合について説明する。
【００２８】
図５（ｂ）に示す割り当て態様においては、特定の移動端末装置に送信する制御信号を、少なくとも２つのコンポーネントキャリアにわたる予め決められたデータブロックパターンを復号単位として割り当てる。データブロックパターンとしては、例えば、図５（ｂ）に示すように、ＣＣ＃１のＣＣＥ＃１、ＣＣ＃２のＣＣＥ＃１、ＣＣ＃３のＣＣＥ＃１及びＣＣ＃４のＣＣＥ＃１が復号単位を構成してなるデータブロックパターン（パターンＡ）、ＣＣ＃１のＣＣＥ＃２、ＣＣ＃２のＣＣＥ＃２、ＣＣ＃３のＣＣＥ＃２及びＣＣ＃４のＣＣＥ＃２が復号単位を構成してなるデータブロックパターン（パターンＢ）、ＣＣ＃１のＣＣＥ＃１、ＣＣ＃２のＣＣＥ＃１、ＣＣ＃３のＣＣＥ＃２及びＣＣ＃４のＣＣＥ＃２が復号単位を構成してなるデータブロックパターン（パターンＣ）、ＣＣ＃１のＣＣＥ＃２、ＣＣ＃２のＣＣＥ＃２、ＣＣ＃３のＣＣＥ＃１及びＣＣ＃４のＣＣＥ＃１が復号単位を構成してなるデータブロックパターン（パターンＤ）などが挙げられる。なお、ここで、パターンＡ及びパターンＢについては図４（ａ）の割り当て態様と同じとなる。
【００２９】
なお、データブロックパターンは、図５（ｂ）に示すパターンに限定されず、例えば、図５（ａ）に示す単位パターン（ＣＣ＃１のＣＣＥ＃１−ＣＣ＃２のＣＣＥ＃１、ＣＣ＃１のＣＣＥ＃２−ＣＣ＃２のＣＣＥ＃２、ＣＣ＃１のＣＣＥ＃１−ＣＣ＃１のＣＣＥ＃２、ＣＣ＃２のＣＣＥ＃１−ＣＣ＃２のＣＣＥ＃２）を組み合わせて構成することができる。
【００３０】
このようなデータブロックパターンは、ＤＢパターンテーブル１１５に格納されている。そして、制御信号スケジュール部１０９は、制御信号をＣＣに割り当てる際に、ＤＢパターンテーブル１１５を参照して、ＤＢパターンテーブル１１５に格納されたデータブロックパターンを選択し、そのデータブロックパターンにしたがって複数のＣＣに制御信号を割り当てる。無線基地局装置側で選択したデータブロックパターンは、移動端末装置に通知される。この通知方法としては、例えば、無線基地局装置と移動端末装置との間での通信開始時に制御チャネル又は共有データチャネルで通知する方法でも良く、報知チャネルで通知する方法でも良い。また、データブロックパターンを特定する場合については、ＤＢパターンテーブル１１５を参照せずに、予め決められたデータブロックパターンを用いても良い。
【００３１】
上記のように割り当てがなされた信号及び共有データ、並びに報知データの変調信号は、それぞれインターリーバ１１０ａ〜１１０ｅに出力される。インターリーバ１１０ａ〜１１０ｃにおいては、各周波数領域＃１〜＃３毎にインターリーブが行われる。インターリーブされた信号は、マッピング部１１１に出力される。マッピング部１１１においては、インターリーブ後の信号を時間・周波数領域にマッピングする。マッピングされた信号は、ＩＦＦＴ部１１２に出力される。
【００３２】
ＩＦＦＴ部１１２においては、マッピングされた信号をＩＦＦＴ演算してＯＦＤＭ信号とする。このＯＦＤＭ信号は、無線送信部１１３に出力される。無線送信部１１３においては、ＯＦＤＭ信号にＣＰ（cyclic  prefix）を付与し、Ｄ／Ａ変換されてベースバンド信号となり、ローパスフィルタで不要成分を除去した後に、アンプで増幅されて送信信号となる。この送信信号は、デュプレクサ１０２を経てアンテナ１０１を介して送信される。
【００３３】
図６は、本発明の実施の形態に係る移動端末装置の構成を示すブロック図である。なお、図６に示す移動端末装置は、ＬＴＥ−Ａシステムに対応できる移動端末装置である。図６に示す移動端末装置は、送受信用のアンテナ２０１と、デュプレクサ２０２と、受信系処理部と、送信系処理部と、から主に構成されている。
【００３４】
受信系処理部は、無線基地局装置から送られた信号に所定の受信処理を行う無線受信部２０３と、受信された信号にＦＦＴ演算を行うＦＦＴ部２０４と、ＦＦＴ演算後の信号をデマッピングするデマッピング部２０５と、デマッピング後の信号をデインターリーブするデインターリーバ２０６ａ〜２０６ｅと、デインターリーブ後の信号を復調して受信データを得る復調部２０７ａ〜２０７ｃと、複数のＣＣに割り当てられたＣＣＥを合成する制御信号合成部２１０と、ブラインド復号の際の復号単位であるデータブロックパターンを格納するＤＢパターンテーブル２１１とから主に構成されている。
【００３５】
送信系処理部は、無線基地局装置に送信するデータを変調して変調信号とする変調部２０８ａ，２０８ｂと、変調信号に所定の送信処理を行う無線送信部２０９とから主に構成されている。
【００３６】
受信系処理部の無線受信部２０３においては、まず、受信した信号に対して利得制御がなされてベースバンド信号が得られる。次いで、このベースバンド信号が直交検波処理された後に不要周波数成分が除去され、その後Ａ／Ｄ変換される。Ａ／Ｄ変換後の信号がＦＦＴ部２０４に出力される。
【００３７】
ＦＦＴ部２０４においては、無線受信部２０３から出力された無線基地局装置からのベースバンド信号をＦＦＴ演算して、各サブキャリアに割り当てられた信号を得る。この信号はデマッピング部２０５に出力される。デマッピング部２０５においては、得られた信号について、無線基地局装置側のマッピング規則にしたがって時間・周波数領域からデマッピングを行う。デマッピング後の信号は、周波数領域毎のデインターリーバ２０６ａ〜２０６ｅに出力される。デインターリーバ２０６ａ〜２０６ｅにおいては、デマッピング後の信号にデインターリーブを行う。デインターリーブ後の信号は、復調部２０７ａ，２０７ｃ、制御信号合成部２１０に出力される。すなわち、デインターリーブ後の共有データは復調部２０７ａに出力され、デインターリーブ後の制御信号は制御信号合成部２１０に出力され、デインターリーブ後の報知データは復調部２０７ｃに出力される。
【００３８】
復調部２０７ａにおいては、デインターリーブ後の信号を復調して受信データ（共有データ）とする。また、復調部２０７ｃにおいては、デインターリーブ後の信号を復調して報知データとする。
【００３９】
デインターリーブ後の制御信号は、制御信号合成部２１０に出力され、制御信号合成部２１０で復号単位に合成される。すなわち、制御信号合成部２１０においては、ブラインド復号を行う復号単位に複数のデータブロック（ＣＣＥ）合成する。図４（ａ）に示す割り当て態様の場合には、各ＣＣにおける同じ番号のデータブロックを合わせて復号単位として合成する。例えば、図４（ａ）に示すように、ＣＣ＃１のＣＣＥ＃２及びＣＣ＃２のＣＣＥ＃２を復号単位として合成し、ＣＣ＃１のＣＣＥ＃３及びＣＣ＃２のＣＣＥ＃３を復号単位として合成し、ＣＣ＃１のＣＣＥ＃４及びＣＣ＃２のＣＣＥ＃４を復号単位として合成し、ＣＣ＃１のＣＣＥ＃５及びＣＣ＃２のＣＣＥ＃５を復号単位として合成し、ＣＣ＃１のＣＣＥ＃６及びＣＣ＃２のＣＣＥ＃６を復号単位として合成し、ＣＣ＃１のＣＣＥ＃７及びＣＣ＃２のＣＣＥ＃７を復号単位として合成する。
【００４０】
また、図４（ｂ）に示す割り当て態様の場合には、２つのＣＣにわたって割り当てられた制御信号について、一つのＣＣにおける一つのデータブロックと、他のＣＣの一つのデータブロックとを合わせて復号単位として合成する。例えば、図４（ｂ）に示すように、ＣＣ＃１におけるＣＣＥ＃２と、ＣＣ＃２におけるＣＣＥ＃２〜ＣＣＥ＃７のそれぞれとを復号単位として合成し、ＣＣ＃１におけるＣＣＥ＃３と、ＣＣ＃２におけるＣＣＥ＃２〜ＣＣＥ＃７のそれぞれとを復号単位として合成し、ＣＣ＃１におけるＣＣＥ＃４と、ＣＣ＃２におけるＣＣＥ＃２〜ＣＣＥ＃７のそれぞれとを復号単位として合成し、ＣＣ＃１におけるＣＣＥ＃５と、ＣＣ＃２におけるＣＣＥ＃２〜ＣＣＥ＃７のそれぞれとを復号単位として合成し、ＣＣ＃１におけるＣＣＥ＃６と、ＣＣ＃２におけるＣＣＥ＃２〜ＣＣＥ＃７のそれぞれとを復号単位として合成し、ＣＣ＃１におけるＣＣＥ＃７と、ＣＣ＃２におけるＣＣＥ＃２〜ＣＣＥ＃７のそれぞれとを復号単位として合成する。
【００４１】
また、図５（ｂ）に示す割り当て態様の場合には、少なくとも２つのＣＣにわたる予め決められたデータブロックパターンを復号単位として合成する。例えば、図５（ｂ）に示すように、ＣＣ＃１のＣＣＥ＃１、ＣＣ＃２のＣＣＥ＃１、ＣＣ＃３のＣＣＥ＃１及びＣＣ＃４のＣＣＥ＃１を復号単位として合成し、ＣＣ＃１のＣＣＥ＃２、ＣＣ＃２のＣＣＥ＃２、ＣＣ＃３のＣＣＥ＃２及びＣＣ＃４のＣＣＥ＃２を復号単位として合成し、ＣＣ＃１のＣＣＥ＃１、ＣＣ＃２のＣＣＥ＃１、ＣＣ＃３のＣＣＥ＃２及びＣＣ＃４のＣＣＥ＃２を復号単位として合成し、ＣＣ＃１のＣＣＥ＃２、ＣＣ＃２のＣＣＥ＃２、ＣＣ＃３のＣＣＥ＃１及びＣＣ＃４のＣＣＥ＃１を復号単位として合成する。
【００４２】
この場合においては、制御信号合成部２１０は、データブロックパターン情報に基づいてＤＢパターンテーブル２１１を参照して、データブロックパターン情報に対応するデータブロックパターンを選択し、そのデータブロックパターンでデインターリーバ後の制御信号を合成する。図６においては、データブロックパターンが報知データで通知される場合について記載しているが、本発明はこれに限定されず、データブロックパターンが他のシグナリング方法で通知されても良い。また、データブロックパターンが予め決められたデータブロックパターンである場合については、ＤＢパターンテーブル２１１を参照せずに、予め決められたデータブロックパターンを用いて制御信号を合成する。
【００４３】
このように制御信号合成部２１０で合成された信号は復調部２０７ｂに出力される。復調部２０７ｂにおいては、合成された復号単位でブラインド復号を繰り返して自装置宛ての制御信号であるか否かを判断する。このようにして、移動端末装置では、自装置宛ての制御信号を得て、制御信号に含まれる無線リソース割り当て情報にしたがって共有データチャネル信号を送受信することができる。
【００４４】
送信系処理部の変調部２０８ａ，２０８ｂでは、送信データ及び制御信号を所定の変調方式でディジタル変調して変調信号とする。この変調信号は、無線送信部２０９に出力される。無線送信部２０９においては、変調信号に所定の送信処理が施される。このようにして得られた送信信号は、デュプレクサ２０２を経てアンテナ２０１を介して送信される。
【００４５】
次に、本発明の実施の形態に係る無線基地局装置及び移動端末装置で構成される移動通信システムにおける実施例について説明する。
【００４６】
（実施例１）
本実施例においては、ＬＴＥ−Ａシステム対応の移動通信端末で、各ＣＣにおける同じ番号のデータブロックを合わせて復号単位としてブラインド復号する場合について説明する。ここでは、制御信号がＣＣＥ＃２〜ＣＣＥ＃７のうちのＣＣＥ＃３（ＣＣ＃１のＣＣＥ＃３及びＣＣ＃２のＣＣＥ＃３）に含まれているとする。
【００４７】
まず、無線基地局装置において、ＬＴＥ−Ａシステムの制御信号を変調部１０８ｃで変調して変調信号とする。この変調信号は制御信号スケジュール部１０９に出力される。制御信号スケジュール部１０９においては、ＬＴＥ−Ａシステムの制御信号をＣＣ＃１，＃２にわたってＣＣＥ＃３に割り当てる。割り当てられた制御信号は、インターリーバ１１０ａ，１１０ｂに出力される。また、無線基地局装置において、ＬＴＥ−Ａシステムの共有データを変調部１０８ｄで変調して変調信号とする。この変調信号はインターリーバ１１０ｄに出力される。
【００４８】
インターリーバ１１０ａにおいては、ＣＣ＃１に割り当てられた制御信号をインターリーブし、インターリーブ後の制御信号がマッピング部１１１に出力される。インターリーバ１１０ｂにおいては、ＣＣ＃２に割り当てられた制御信号をインターリーブし、インターリーブ後の制御信号がマッピング部１１１に出力される。インターリーブされた制御信号はマッピング部１１１に出力される。インターリーバ１１０ｄにおいては、共有データをインターリーブし、インターリーブ後の信号がマッピング部１１１に出力される。インターリーバ１１０ｅにおいては、報知データをインターリーブし、インターリーブ後の信号がマッピング部１１１に出力される。
【００４９】
マッピング部１１１においては、インターリーブ後の信号を時間・周波数領域にマッピングする。マッピングされた信号は、ＩＦＦＴ部１１２に出力される。ＩＦＦＴ部１１２においては、マッピングされた信号をＩＦＦＴ演算してＯＦＤＭ信号とする。このＯＦＤＭ信号は、無線送信部１１３に出力され、上述した所定の送信処理がなされて送信信号となる。この送信信号は、デュプレクサ１０２を経てアンテナ１０１を介して送信される。
【００５０】
ＬＴＥ−Ａシステムに対応する移動端末装置においては、無線受信部２０３で受信信号に上述した所定の受信処理がなされてベースバンド信号とする。このベースバンド信号がＦＦＴ部２０４に出力され、ＦＦＴ演算されて、各サブキャリアに割り当てられた信号が得られる。この信号はデマッピング部２０５に出力される。デマッピング部２０５においては、得られた信号について、無線基地局装置側のマッピング規則にしたがって時間・周波数領域からデマッピングを行う。デマッピング後の信号は、ＣＣ＃１，＃２のデインターリーバ２０６ａ，２０６ｂ，２０６ｄ，２０６ｅに出力され、デマッピング後の信号にデインターリーブが行われる。デインターリーブ後の共有データは復調部２０７ａに出力され、デインターリーブ後の報知データは２０７ｃに出力され、デインターリーブ後の制御信号は制御信号合成部２１０に出力される。
【００５１】
復調部２０７ａにおいては、デインターリーブ後の信号を復調して受信データ（共有データ）とし、復調部２０７ｃにおいては、デインターリーブ後の信号を復調して報知データとする。
【００５２】
制御信号合成部２１０においては、図４（ａ）に示すように、ＣＣ＃１のＣＣＥ＃２及びＣＣ＃２のＣＣＥ＃２を復号単位として合成し、その合成した制御信号を復調部２０７ｂに出力する。復調部２０７ｂにおいては、復号単位として合成した制御信号（ＣＣ＃１のＣＣＥ＃２及びＣＣ＃２のＣＣＥ＃２）を復調し、ＣＲＣして自装置宛ての制御信号として得られるかどうかを判断する。ここでは、自装置宛ての制御信号が得られない。次いで、制御信号合成部２１０において、ＣＣ＃１のＣＣＥ＃３及びＣＣ＃２のＣＣＥ＃３を復号単位として合成し、その合成した制御信号を復調部２０７ｂに出力する。復調部２０７ｂにおいては、復号単位として合成した制御信号（ＣＣ＃１のＣＣＥ＃３及びＣＣ＃２のＣＣＥ＃３）を復調し、ＣＲＣして自装置宛ての制御信号として得られるかどうかを判断する。ここで、自装置宛ての制御信号が得られる。この制御信号を用いて共有データの処理を行う。
【００５３】
このように、本実施例においては、各ＣＣにおける同じ番号のデータブロックを合わせて復号単位としてブラインド復号するので、ブラインド復号の回数を少なく（ここでは最大６回）することが可能であり、効率の良い受信制御を実現することができる。
【００５４】
（実施例２）
本実施例においては、ＬＴＥ−Ａシステム対応の移動通信端末で、少なくとも２つのＣＣにわたる予め決められたデータブロックパターンを復号単位としてブラインド復号する場合について説明する。ここでは、制御信号がＣＣ＃１のＣＣＥ＃１、ＣＣ＃２のＣＣＥ１、ＣＣ＃３のＣＣＥ＃２及びＣＣ＃４のＣＣＥ＃２に含まれているとする。
【００５５】
制御信号スケジュール部１０９におけるＬＴＥ−Ａシステムの制御信号の割り当てをＣＣ＃１のＣＣＥ＃１、ＣＣ＃２のＣＣＥ１、ＣＣ＃３のＣＣＥ＃２及びＣＣ＃４のＣＣＥ＃２にすること以外は実施例１と同様にして報知データ、共有データ及び制御信号を無線基地局装置から移動端末装置に送信する。
【００５６】
ＬＴＥ−Ａシステムに対応する移動端末装置においては、実施例１と同様にして、受信信号に対して所定の受信処理、ＦＦＴ演算、デマッピング及びデインターリーブし、デインターリーブ後の信号を復調部２０７ａ，２０７ｃ及び制御信号合成部２１０に出力する。復調部２０７ａにおいては、デインターリーブ後の信号を復調して受信データ（共有データ）とし、復調部２０７ｃにおいては、デインターリーブ後の信号を復調して報知データとする。
【００５７】
制御信号合成部２１０においては、図５（ｂ）に示すように、ＣＣ＃１のＣＣＥ＃１、ＣＣ＃２のＣＣＥ１、ＣＣ＃３のＣＣＥ＃２及びＣＣ＃４のＣＣＥ＃２を復号単位として合成し、その合成した制御信号を復調部２０７ｂに出力する。復調部２０７ｂにおいては、復号単位として合成した制御信号（ＣＣ＃１のＣＣＥ＃１、ＣＣ＃２のＣＣＥ１、ＣＣ＃３のＣＣＥ＃２及びＣＣ＃４のＣＣＥ＃２）を復調し、ＣＲＣして自装置宛ての制御信号として得られるかどうかを判断する。ここで、自装置宛ての制御信号が得られる。この制御信号を用いて共有データの処理を行う。なお、復号単位であるデータブロックパターンは、無線基地局装置が報知する報知チャネル（ＢＣＨ）により取得する。
【００５８】
このように、本実施例においては、各ＣＣにおける同じ番号のデータブロックを合わせて復号単位としてブラインド復号するので、ブラインド復号の回数を少なく（ここでは１回）することが可能であり、効率の良い受信制御を実現することができる。
【００５９】
本発明は上記実施の形態に限定されず、種々変更して実施することが可能である。例えば、上記実施の形態においては、共有データについて、送信側でインターリーブして送信し、受信側でインターリーブする場合について説明しているが、本発明はこれに限定されず、共有データについてインターリーブしない場合にも同様に適用することができる。また、本発明の範囲を逸脱しない限りにおいて、上記説明におけるデータブロック割り当てパターン、処理部の数、処理手順、コンポーネントキャリアの数やデータブロックの数、データブロック範囲については適宜変更して実施することが可能である。その他、本発明の範囲を逸脱しないで適宜変更して実施することが可能である。
【図面の簡単な説明】
【００６０】
【図１】下り回線で移動通信が行われる際の周波数使用状態を説明するための図である。
【図２】本発明の実施の形態に係る無線基地局装置の概略構成を示す図である。
【図３】ＬＴＥシステムのシステム帯域を説明するための図である。
【図４】制御信号を複数のデータブロック（ＣＣＥ）で構成される復号単位で、少なくとも２つのＣＣに割り当てる場合について説明するための図である。
【図５】制御信号を複数のデータブロック（ＣＣＥ）で構成される復号単位で、少なくとも２つのＣＣに割り当てる場合の他の例について説明するための図である。
【図６】本発明の実施の形態に係る移動端末装置の概略構成を示す図である。
【図７】ＬＴＥシステムにおけるブラインド復号を説明するための図である。
【図８】ＬＴＥシステムにおけるブラインド復号を説明するための図である。
【符号の説明】
【００６１】
１０１，２０１  アンテナ
１０２，２０２  デュプレクサ
１０３，２０３  無線受信部
１０４，２０４  ＦＦＴ部
１０５，２０５  デマッピング部
１０６，２０６ａ〜２０６ｅ  デインターリーバ
１０７，２０７ａ〜２０７ｃ  復調部
１０８ａ〜１０８ｅ，２０８ａ，２０８ｂ  変調部
１０９  制御信号スケジュール部
１１０ａ〜１１０ｅ  インターリーバ
１１１  マッピング部
１１２  ＩＦＦＴ部
１１３，２０９  無線送信部
１１４  受信品質判定部
１１５，２１１  データブロックパターンテーブル
２１０  制御信号合成部
【図１】
2010114537.tif 000003
【図２】
2010114537.tif 000004
【図３】
2010114537.tif 000005
【図４】
2010114537.tif 000006
【図５】
2010114537.tif 000007
【図６】
2010114537.tif 000008
【図７】
2010114537.tif 000009
【図８】
2010114537.tif 000010